【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
搬送したシートの一方の面に画像を形成し、該シートを再搬送し、該シートの他方の面に画像を形成することにより両面に画像形成を実行する画像形成装置であって、
前記シートに画像を形成する画像形成手段と、
前記画像形成手段に前記シートを搬送し、該シートを反転し、該画像形成手段に前記反転したシートを再搬送する搬送手段と、
前記画像形成手段へ後続シートを搬送する第１搬送速度を、該後続シートの一方の面に形成される画像の解像度に基づいて決定し、該後続シートの直前に搬送される先行シートを前記画像形成手段へ搬送する第２搬送速度を、該先行シートの他方の面に形成される画像の解像度に基づいて決定し、前記後続シートの第１搬送速度と、前記先行シートの第２搬送速度とを比較し、比較結果が前記後続シートの前記第１搬送速度が前記先行シートの第２搬送速度に対応することを示す場合には、前記搬送手段によって反転された前記先行シートが前記画像形成手段に搬送される前に前記後続シートを前記画像形成手段に搬送するように前記搬送手段を制御し、比較結果が前記後続シートの前記第１搬送速度が前記先行シートの第２搬送速度に対応しないことを示す場合には、前記後続シートが前記画像形成手段に搬送される前に前記先行シートを前記画像形成手段に搬送するように前記搬送手段を制御する制御手段と
を備えることを特徴とする画像形成装置。
【請求項２】
前記制御手段は、
前記後続シートの一方の面に画像を形成するための前記第１搬送速度が前記後続シートの他方の面に画像を形成するための第３搬送速度と異なる場合には、前記後続シートを前記画像形成手段へ搬送する前に、反転した前記先行シートを前記画像形成手段へ再搬送するように前記搬送手段を制御することを特徴とする請求項１に記載の画像形成装置。
【請求項３】
前記制御手段は、
前記後続シートの一方の面に画像を形成するための前記第１搬送速度が前記先行シートの一方の面に画像を形成するための第４搬送速度と同じ場合であって、かつ、前記後続シートの一方の面に画像を形成するための前記第１搬送速度が前記先行シートの他方の面に画像を形成するための前記第２搬送速度と同じ場合には、反転した前記先行シートを前記画像形成手段へ再搬送する前に、前記後続シートを前記画像形成手段へ搬送して、該反転した先行シートを再搬送するように前記搬送手段を制御し、
前記後続シートの一方の面に画像を形成するための前記第１搬送速度が前記先行シートの一方の面に画像を形成するための第４搬送速度と異なる場合、又は、前記後続シートの一方の面に画像を形成するための前記第１搬送速度が前記先行シートの他方の面に画像を形成するための前記第２搬送速度と異なる場合には、前記後続シートを前記画像形成手段へ搬送する前に、反転した前記先行シートを前記画像形成手段へ再搬送するように前記搬送手段を制御することを特徴とする請求項１に記載の画像形成装置。
【請求項４】
シートの一方の面の搬送速度が該シートの他方の面の搬送速度と同じ場合、前記後続シートの一方の面の搬送速度が前記先行シートの一方の面の搬送速度と同じ場合、及び、前記後続シートの一方の面の搬送速度が前記先行シートの他方の面の搬送速度と同じ場合、前記後続シートは、前記先行シートを前記画像形成手段へ再搬送する前に、前記画像形成手段へ搬送され、
シートの一方の面の搬送速度が該シートの他方の面の搬送速度と異なる場合、前記後続シートの一方の面の搬送速度が前記先行シートの一方の面の搬送速度と異なる場合、又は、前記後続シートの一方の面の搬送速度が前記先行シートの他方の面の搬送速度と異なる場合、前記先行シートは、前記後続シートを前記画像形成手段へ搬送する前に、前記画像形成手段へ再搬送されることを特徴とする請求項１に記載の画像形成装置。
【請求項５】
前記制御手段は、さらに、
前記シートに転写される形成画像を搬送する搬送速度と、前記画像形成手段へ前記シートを搬送する搬送速度とを関連付けて記憶し、前記形成画像の前記搬送速度に従って前記シートの前記搬送速度を決定することを特徴とする請求項１に記載の画像形成装置。
【請求項６】
前記制御手段は、さらに、
前記画像形成手段へ搬送する前記シートのサイズと、循環経路に循環可能なシートの枚数とを関連付けて記憶することを特徴とする請求項５に記載の画像形成装置。
【請求項７】
前記制御手段は、さらに、
前記画像形成手段へ搬送する前記シートの種類と、搬送速度とを関連付けて記憶することを特徴とする請求項５に記載の画像形成装置。
【請求項８】
搬送したシートの一方の面に画像を形成し、該シートを再搬送し、該シートの他方の面に画像を形成することにより両面に画像形成を実行する画像形成装置の制御方法であって、
前記シートに画像を形成する画像形成手段に前記シートを搬送する工程と、
前記シートを反転する工程と、
前記画像形成手段に前記反転したシートを再搬送する工程と、
前記画像形成手段へ後続シートを搬送する第１搬送速度を、該後続シートの一方の面に形成される画像の解像度に基づいて決定し、該後続シートの直前に搬送される先行シートを前記画像形成手段へ搬送する第２搬送速度を、該先行シートの他方の面に形成される画像の解像度に基づいて決定する工程と、
前記後続シートの第１搬送速度と、前記先行シートの第２搬送速度とを比較する工程、
比較結果が前記後続シートの前記第１搬送速度が前記先行シートの第２搬送速度に対応することを示す場合には、反転された前記先行シートが前記画像形成手段に搬送される前に前記後続シートを前記画像形成手段に搬送するように制御し、比較結果が前記後続シートの前記第１搬送速度が前記先行シートの第２搬送速度に対応しないことを示す場合には、前記後続シートが前記画像形成手段に搬送される前に前記先行シートを前記画像形成手段に搬送するように制御する工程と
を実行することを特徴とする画像形成装置の制御方法。
【請求項９】
請求項１乃至７の何れか１項に記載の画像形成装置としてコンピュータを機能させるための該コンピュータで読み取り可能なプログラム。
【請求項１０】
搬送したシートの一方の面に画像を形成し、該シートを再搬送し、該シートの他方の面に画像を形成することにより両面に画像形成を実行する画像形成装置であって、
前記シートに画像を形成する画像形成手段と、
前記画像形成手段に前記シートを搬送し、該シートを反転し、該画像形成手段に前記反転したシートを再搬送する搬送手段と、
前記画像形成手段へ後続シートを搬送する第１搬送速度を、該後続シートの一方の面に形成される画像の解像度に基づいて決定し、前記画像形成手段へ前記後続シートを搬送する第２搬送速度を、該後続シートの他方の面に形成される画像の解像度に基づいて決定し、前記後続シートの第１搬送速度と、前記後続シートの第２搬送速度とを比較し、比較結果が前記後続シートの前記第１搬送速度が前記後続シートの第２搬送速度に対応することを示す場合には、前記搬送手段によって反転された、前記後続シートの直前に搬送される先行シートが前記画像形成手段に搬送される前に前記後続シートを前記画像形成手段に搬送するように前記搬送手段を制御し、比較結果が前記後続シートの前記第１搬送速度が前記後続シートの第２搬送速度に対応しないことを示す場合には、前記後続シートが前記画像形成手段に搬送される前に前記搬送手段によって反転された前記先行シートを前記画像形成手段に搬送するように前記搬送手段を制御する制御手段と
を備えることを特徴とする画像形成装置。
【請求項１１】
搬送したシートの一方の面に画像を形成し、該シートを再搬送し、該シートの他方の面に画像を形成することにより両面に画像形成を実行する画像形成装置であって、
前記シートに画像を形成する画像形成手段と、
前記画像形成手段に前記シートを搬送し、該シートを反転し、該画像形成手段に前記反転したシートを再搬送する搬送手段と、
前記画像形成手段へ後続シートを搬送する第１搬送速度を、該後続シートの一方の面に形成される画像の解像度に基づいて決定し、該後続シートの直前に搬送される先行シートを前記画像形成手段へ搬送する第２搬送速度を、該先行シートの一方の面に形成される画像の解像度に基づいて決定し、前記後続シートの第１搬送速度と、前記先行シートの第２搬送速度とを比較し、比較結果が前記後続シートの前記第１搬送速度が前記先行シートの第２搬送速度に対応することを示す場合には、前記搬送手段によって反転された前記先行シートが前記画像形成手段に搬送される前に前記後続シートを前記画像形成手段に搬送するように前記搬送手段を制御し、比較結果が前記後続シートの前記第１搬送速度が前記先行シートの第２搬送速度に対応しないことを示す場合には、前記後続シートが前記画像形成手段に搬送される前に前記先行シートを前記画像形成手段に搬送するように前記搬送手段を制御する制御手段と
を備えることを特徴とする画像形成装置。
【手続補正２】
【補正対象書類名】明細書
【補正対象項目名】発明の名称
【補正方法】変更
【補正の内容】
【発明の名称】画像形成装置、その制御方法及びプログラム
【手続補正３】
【補正対象書類名】明細書
【補正対象項目名】００１０
【補正方法】変更
【補正の内容】
【００１０】
本発明は、搬送したシートの一方の面に画像を形成し、該シートを再搬送し、該シートの他方の面に画像を形成することにより両面に画像形成を実行する画像形成装置であって、前記シートに画像を形成する画像形成手段と、前記画像形成手段に前記シートを搬送し、該シートを反転し、該画像形成手段に前記反転したシートを再搬送する搬送手段と、前記画像形成手段へ後続シートを搬送する第１搬送速度を、該後続シートの一方の面に形成される画像の解像度に基づいて決定し、該後続シートの直前に搬送される先行シートを前記画像形成手段へ搬送する第２搬送速度を、該先行シートの他方の面に形成される画像の解像度に基づいて決定し、前記後続シートの第１搬送速度と、前記先行シートの第２搬送速度とを比較し、比較結果が前記後続シートの前記第１搬送速度が前記先行シートの第２搬送速度に対応することを示す場合には、前記搬送手段によって反転された前記先行シートが前記画像形成手段に搬送される前に前記後続シートを前記画像形成手段に搬送するように前記搬送手段を制御し、比較結果が前記後続シートの前記第１搬送速度が前記先行シートの第２搬送速度に対応しないことを示す場合には、前記後続シートが前記画像形成手段に搬送される前に前記先行シートを前記画像形成手段に搬送するように前記搬送手段を制御する制御手段と
を備えることを特徴とする。また、本発明は、搬送したシートの一方の面に画像を形成し、該シートを再搬送し、該シートの他方の面に画像を形成することにより両面に画像形成を実行する画像形成装置であって、前記シートに画像を形成する画像形成手段と、前記画像形成手段に前記シートを搬送し、該シートを反転し、該画像形成手段に前記反転したシートを再搬送する搬送手段と、前記画像形成手段へ後続シートを搬送する第１搬送速度を、該後続シートの一方の面に形成される画像の解像度に基づいて決定し、前記画像形成手段へ前記後続シートを搬送する第２搬送速度を、該後続シートの他方の面に形成される画像の解像度に基づいて決定し、前記後続シートの第１搬送速度と、前記後続シートの第２搬送速度とを比較し、比較結果が前記後続シートの前記第１搬送速度が前記後続シートの第２搬送速度に対応することを示す場合には、前記搬送手段によって反転された、前記後続シートの直前に搬送される先行シートが前記画像形成手段に搬送される前に前記後続シートを前記画像形成手段に搬送するように前記搬送手段を制御し、比較結果が前記後続シートの前記第１搬送速度が前記後続シートの第２搬送速度に対応しないことを示す場合には、前記後続シートが前記画像形成手段に搬送される前に前記搬送手段によって反転された前記先行シートを前記画像形成手段に搬送するように前記搬送手段を制御する制御手段とを備えることを特徴とする。また、本発明は、搬送したシートの一方の面に画像を形成し、該シートを再搬送し、該シートの他方の面に画像を形成することにより両面に画像形成を実行する画像形成装置であって、前記シートに画像を形成する画像形成手段と、前記画像形成手段に前記シートを搬送し、該シートを反転し、該画像形成手段に前記反転したシートを再搬送する搬送手段と、前記画像形成手段へ後続シートを搬送する第１搬送速度を、該後続シートの一方の面に形成される画像の解像度に基づいて決定し、該後続シートの直前に搬送される先行シートを前記画像形成手段へ搬送する第２搬送速度を、該先行シートの一方の面に形成される画像の解像度に基づいて決定し、前記後続シートの第１搬送速度と、前記先行シートの第２搬送速度とを比較し、比較結果が前記後続シートの前記第１搬送速度が前記先行シートの第２搬送速度に対応することを示す場合には、前記搬送手段によって反転された前記先行シートが前記画像形成手段に搬送される前に前記後続シートを前記画像形成手段に搬送するように前記搬送手段を制御し、比較結果が前記後続シートの前記第１搬送速度が前記先行シートの第２搬送速度に対応しないことを示す場合には、前記後続シートが前記画像形成手段に搬送される前に前記先行シートを前記画像形成手段に搬送するように前記搬送手段を制御する制御手段とを備えることを特徴とする。